(57)【要約】【課題】  所望の釣りポイントでケース内に収容した餌を開放可能であるとともに、簡易な機構で、且つ、魚の警戒心を刺激することを防止することができる魚釣用具を提供する。【解決手段】  本体ケース１１は、一対の半割ケース部（１５ａ、１５ｂ）を有し、一対の半割ケース部（１５ａ、１５ｂ）が閉じ合わされた閉状態で内部に餌が収納される。ヒンジ部１２は、一対の半割ケース部（１５ａ、１５ｂ）を両開きの開状態又は閉状態となるように開閉自在に連結する。少なくとも本体ケース１１は水溶性材料で形成されている。【選択図】        図１
0003137641.tif 000002
【実用新案登録請求の範囲】
【請求項１】
一対の半割ケース部を有し、当該一対の半割ケース部が閉じ合わされた閉状態で内部に餌が収納される本体ケースと、
前記一対の半割ケース部を両開きの開状態又は前記閉状態となるように開閉自在に連結するヒンジ部と、
を備え、
少なくとも前記本体ケースは水溶性材料で形成されていることを特徴とする魚釣用具。
【請求項２】
前記本体ケースにおける前記一対の半割ケース部の少なくともいずれか一方から突設するように形成され、係止用の引っ掛け部分を有する所定の部材に対して係止可能なフック部をさらに備え、
前記ヒンジ部及び前記フック部も水溶性材料で形成されていることを特徴とする請求項１に記載の魚釣用具。
【請求項３】
前記本体ケースは、前記閉状態で前記フック部が配置される位置であるフック位置を含むフック側部分の厚さが、前記閉状態で前記フック位置と対向する反対側の位置である反フック位置を含む反フック側部分の厚さよりも厚くなるように形成されていることを特徴とする請求項２に記載の魚釣用具。
【請求項４】
前記一対の半割ケース部の一方に設けられる突起部と前記一対の半割ケース部の他方に設けられて前記突起部に対して係止する係止部とを有し、当該突起部と当該係止部とが係止することで前記一対の半割ケース部を前記閉状態に保持する閉じ手段をさらに備え、
前記閉じ手段も水溶性材料で形成されていることを特徴とする請求項１乃至請求項３のいずれか１項に記載の魚釣用具。
【請求項５】
前記本体ケースには、複数の貫通形成された小孔が設けられていることを特徴とする請求項１乃至請求項４のいずれか１項に記載の魚釣用具。
【請求項６】
前記一対の半割ケース部の少なくともいずれか一方には、刺餌用釣針に接続されるハリスが挿通されるスリット部が形成されていることを特徴とする請求項１乃至請求項５のいずれか１項に記載の魚釣用具。
【考案の詳細な説明】
【技術分野】
【０００１】
本考案は、フカセ釣り又はカゴ釣り或いは紀州釣り等において用いられ、餌を収納するケースを有する魚釣用具に関する。
【背景技術】
【０００２】
従来より、釣り方法として、カゴ釣りやフカセ釣り、紀州釣りなどがしられている。カゴ釣りでは、撒き餌を収容し水中でこの撒き餌を放出させるための撒き餌カゴを用いて釣りが行われるが、このような撒き餌カゴにおいては、釣り人が所望する釣りポイントで適切に撒き餌を開放することが望まれる。即ち、撒き餌カゴが所望の釣りポイントに到達するまでの水中での沈降中は撒き餌放出用の開口が閉じた状態に維持されて撒き餌が撒き餌カゴ内に保持され、所望の釣りポイントに到達して撒き餌カゴの沈降が停止すると撒き餌放出用の開口が開いて撒き餌が水中に放出される必要がある。このように適切な釣りポイントで撒き餌を放出できることを目的とした撒き餌カゴとして、特許文献１に記載されたものが知られている。この特許文献１に記載の撒き餌カゴは、撒き餌を収容する本体、釣り糸が連結されるとともに本体に対して移動可能な相対移動部材、相対移動部材に連動して本体の開口部を塞ぐ蓋部材、本体に対して相対移動部材を付勢する付勢部材やその付勢力を調整する調整部材などを備えて構成されている。
【０００３】
また、フカセ釣りでは、餌を釣針に刺した餌針を潮の流れに漂わせながら釣りが行われるが、この場合、本命の魚がいる釣りポイントに刺餌が到達するまでに雑魚に刺餌が食われてしまうことを防止することが必要となる。そこで、本命の魚がいる釣りポイントから離れた場所に前もってコマセを撒いて雑魚類を釣りポイントから誘い出しておくことがよく行われるが、このようなコマセ撒きを乱用するとコマセが海底に堆積することによる汚染が懸念される。このようなコマセの乱用による汚染を防止するためコマセを用いずに刺餌を雑魚類からガードすることを目的としたものとして、特許文献２に記載されたフカセ釣り用餌針カプセルが知られている。この特許文献２に記載のフカセ釣り用餌針カプセルは、釣り糸に装着されて餌針を格納しながら水中に漂わせる容器体として構成され、釣り糸に固定されたショック付与部材を介して釣り糸による拘引ショックを容器体のキャップに伝達できるようになっているものである。尚、紀州釣りは、餌針の周りに集魚効果のある材料（集魚材）で団子を形成してこの団子を釣りポイントである海底まで到達させて海底で団子を割って崩壊させて釣りを行う釣り方法である。
【０００４】
【特許文献１】特開２００１−２０４３３３号公報
【特許文献２】特開平１０−３２３１５０号公報
【考案の開示】
【考案が解決しようとする課題】
【０００５】
カゴ釣りの場合、適切な釣りポイントで撒き餌カゴが開口動作を行って撒き餌を放出する必要があるが、所望のタイミングで開口動作を行わせる機能を撒き餌カゴに果たさせるためには、特許文献１に記載された撒き餌カゴのように、機構の複雑化や大型化を招き易くなってしまう。そして、機構が複雑化したり大型化した撒き餌カゴの場合、魚の警戒心を刺激し易くなってしまう虞がある。また、フカセ釣りの場合、特許文献２に記載された餌針カプセルを用いることで、刺餌が適切な釣りポイントに到達するまでその刺餌を雑魚類から保護することが可能となる。しかしながら、釣りポイントにて適切に開口動作を行わせるための複雑な機構が必要となってしまうとともに、複雑化した機構のカプセルが魚の警戒心を刺激する虞がある。また、紀州釣りの場合、水中に投入した団子が海底（釣りポイント）で崩壊することで、海底まで刺餌を雑魚類から保護するとともに海底で団子が割れて崩壊して集魚効果を適切に発揮する必要がある。しかしながら、海底に達するまでの刺餌の保護と海底で崩壊することによる適切な集魚効果の発揮とを両立可能な適切な固さの団子を作成することは難しく熟練を要する作業が必要となる。そこで、特許文献１に記載のような撒き餌カゴと同様のケースに団子の材料を刺餌とともに収納することが考えられるが、特許文献１の場合と同様に、機構の複雑化や大型化を招くとともに魚の警戒心を刺激してしまうことになる。
【０００６】
本考案は、上記実情に鑑みることにより、フカセ釣り又はカゴ釣り或いは紀州釣り等において用いられて餌を収納するケースを有する魚釣用具に関し、所望の釣りポイントでケース内に収容した餌を開放可能であるとともに、簡易な機構で、且つ、魚の警戒心を刺激することを防止することができる魚釣用具を提供することを目的とする。
【課題を解決するための手段及び効果】
【０００７】
上記目的を達成するための第１考案に係る魚釣用具は、一対の半割ケース部を有し、当該一対の半割ケース部が閉じ合わされた閉状態で内部に餌が収納される本体ケースと、前記一対の半割ケース部を両開きの開状態又は前記閉状態となるように開閉自在に連結するヒンジ部と、を備え、少なくとも前記本体ケースは水溶性材料で形成されていることを特徴とする。
【０００８】
この構成によると、両開きの開状態の本体ケースに餌を挿入した後に一対の半割ケース部を閉じて閉状態とすることで、本体ケース内に餌を収納して水中においてもその餌を保護することができる。そして、本体ケースが水溶性材料で形成されているため、所定の時間を経過すると本体ケースが水中にて溶解し、本体ケース内の餌が開放されることになる。尚、本体ケースが水中で溶解するまでの時間については、餌を収納した本体ケースが釣り人の所望の釣りポイントに届くまでの時間を考慮して、水溶性材料（例えば、でんぷんやゼラチン等）の材料種類や本体ケースの厚み等を適宜設定することで調整することができる。また、本考案の魚釣用具は、一対の半割ケース部をヒンジ部で連結するという簡易な機構で構成することができる。さらに、本体ケースは水中に溶出してしまうため、釣りポイントにおいて、魚の警戒心を刺激してしまうことも防止できる。
【０００９】
尚、本考案の魚釣用具をカゴ釣りに用いる場合は、本体ケース内に撒き餌を収納し、所望のつりポイントにて本体ケースが溶解することで撒き餌が釣りポイントに開放されることになる。尚、このカゴ釣りの場合、刺餌が釣針に刺された餌針を本体ケースに撒き餌とともに収納する場合しない場合のいずれにおいても本考案の魚釣用具を用いることができる。また、本考案の魚釣用具をフカセ釣りにおいて用いる場合は、餌針の大きさを考慮した適当な大きさの本体ケース内に餌針を収納し、所望の釣りポイントにて本体ケースが溶解することで餌針が釣りポイントにて開放されることになる。また、本考案の魚釣用具を紀州釣りに用いる場合は、餌針の周りに集魚材を適当に軟らかく丸めて配置した団子を本体ケース内に形成し（団子を本体ケース内に収納し）、所望の釣りポイントである海底にて本体ケースが溶解することで、団子を形成する集魚材とともに餌針が海底（釣りポイント）にて開放されることになる。尚、この紀州釣りの場合、本体ケース内に集魚材を餌針とともに収納するだけでよく、従来のように海底で適切に崩壊させるための固さ調整といった熟練作業を要することがなく、さらに、手を汚さず且つ短時間で作業を完了することができる。
【００１０】
従って、フカセ釣り又はカゴ釣り或いは紀州釣り等において用いられて餌を収納するケースを有する魚釣用具に関し、所望の釣りポイントでケース内に収容した餌を開放可能であるとともに、簡易な機構で、且つ、魚の警戒心を刺激することを防止することができる魚釣用具を提供することができる。
【００１１】
第２考案に係る魚釣用具は、第１考案の魚釣用具において、前記本体ケースにおける前記一対の半割ケース部の少なくともいずれか一方から突設するように形成され、係止用の引っ掛け部分を有する所定の部材に対して係止可能なフック部をさらに備え、前記ヒンジ部及び前記フック部も水溶性材料で形成されていることを特徴とする。
【００１２】
カゴ釣りの場合、一端側に釣り糸が接続されるとともに他端側に刺餌用釣針が接続されて且つ撒き餌カゴが取り付けられる天秤が用いられるが、本考案の構成によると、係止用の引っ掛け部分を有する所定の部材である天秤に対して、本体ケースから突設されるフック部で係止させることで、本考案の魚釣用具を取り付けることができる。そして、ヒンジ部及びフック部も本体ケースと同様に水溶性材料で形成されているため、釣りポイントにおいて、本体ケースとともにヒンジ部及びフック部も溶解させることができる。
【００１３】
第３考案に係る魚釣用具は、第２考案の魚釣用具において、前記本体ケースは、前記閉状態で前記フック部が配置される位置であるフック位置を含むフック側部分の厚さが、前記閉状態で前記フック位置と対向する反対側の位置である反フック位置を含む反フック側部分の厚さよりも厚くなるように形成されていることを特徴とする。
【００１４】
この構成によると、フック側部分の厚さが反フック側部分の厚さよりも厚くなるように本体ケースが形成されているため、係止用の引っ掛け部分を有する所定の部材である天秤に対して水中で本考案の魚釣用具が取り付けられた状態では、フック側部分の方が溶解に時間を要することになる。従って、反フック側部分が溶解して撒き餌が放出される前にフック側部分が溶解して天秤から魚釣用具が脱落してしまうことを、フック側部分における本体ケースの厚さを厚くするという簡易な構成で容易に防止できる。
【００１５】
第４考案に係る魚釣用具は、第１考案乃至第３考案のいずれかの魚釣用具において、前記一対の半割ケース部の一方に設けられる突起部と前記一対の半割ケース部の他方に設けられて前記突起部に対して係止する係止部とを有し、当該突起部と当該係止部とが係止することで前記一対の半割ケース部を前記閉状態に保持する閉じ手段をさらに備え、前記閉じ手段も水溶性材料で形成されていることを特徴とする。
【００１６】
この構成によると、一対の半割ケース部の一方の突起部と他方の係止部という簡易な構成からなる閉じ手段によって一対の半割ケース部を容易に閉状態に保持することができる。そして、閉じ手段も本体ケースと同様に水溶性材料で形成されているため、釣りポイントにおいて、本体ケースとともに閉じ手段も溶解させることができる。
【００１７】
第５考案に係る魚釣用具は、第１考案乃至第４考案のいずれかの魚釣用具において、前記本体ケースには、複数の貫通形成された小孔が設けられていることを特徴とする。
【００１８】
この構成によると、貫通形成された複数の小孔を介して本体ケース内に水が誘導されるため、本体ケースが内側からも水に溶出することになる。このため、溶解させ易い本体ケースを形成したい場合に有効となる。また、カゴ釣りや紀州釣りの場合は、釣りポイントにおいて本体ケースが溶解する前に小孔から撒き餌や集魚材が水中に拡散するため、釣りポイントに魚を速やかに寄せ集めたり集魚効果を発揮させることができる。
【００１９】
第６考案に係る魚釣用具は、第１考案乃至第５考案のいずれかの魚釣用具において、前記一対の半割ケース部の少なくともいずれか一方には、刺餌用釣針に接続されるハリスが挿通されるスリット部が形成されていることを特徴とする。
【００２０】
この構成によると、刺餌用釣針に接続されるハリスをスリット部に挿通させて本体ケース内に刺餌用釣針を配置することができる。従って、本体ケースにスリット部を設けるという簡易な構成により、本体ケースとの干渉を抑制しつつ刺餌用釣針を本体ケース内に容易に配置することができる。尚、本考案の魚釣用具は、カゴ釣り、フカセ釣り及び紀州釣りのいずれにおいても適用することができる。
【考案を実施するための最良の形態】
【００２１】
本考案を実施するための形態について図面を参照しつつ説明する。尚、第１実施形態ではカゴ釣りの用途において本考案を適用する場合について、第２実施形態ではフカセ釣りの用途において本考案を適用する場合について、第３実施形態では紀州釣りの用途において本考案を適用する場合について、それぞれ例をとって説明するが、他の釣り方法においても広く適用することができる。また、第１乃至第３実施形態と各釣り方法との関係はあくまで例示であり、これらの形態に限定されず各釣り方法において本考案を広く適用することができる。
【００２２】
（第１実施形態）
図１及び図２は、第１実施形態に係る魚釣用具１を示す斜視図である。この魚釣用具１は、上述のように主としてカゴ釣りにおいて用いられるが、紀州釣りにおいて用いることもできるものである。図１及び図２に示すように、魚釣用具１は、本体ケース１１、ヒンジ部１２、フック部１３、閉じ手段１４を備えて構成されている。
【００２３】
図１及び図２に示すように、本体ケース１１は、一対の半割ケース部（１５ａ、１５ｂ）を有して構成されている。これらの半割ケース部１５ａ及び半割ケース部１５ｂは、いずれも中空の半球状に形成されており、各半球の直径寸法がほぼ同一となるように形成されている。即ち、半割ケース部１５ａと半割ケース部１５ｂとをその開口している側が対向した状態で合わせると、１つの球状体を構成するようになっている。尚、図１は一対の半割ケース部（１５ａ、１５ｂ）が開いた状態であり、図２は一対の半割ケース部（１５ａ、１５ｂ）が閉じ合わされた状態を示している。この本体ケース１１は、後述するように、一対の半割ケース部（１５ａ、１５ｂ）が閉じ合わされた閉状態で内部に餌が収納されるようになっている。また、本体ケース１１には、各半割ケース部（１５ａ、１５ｂ）の厚さ方向に貫通形成された小孔１９が複数設けられている。また、一方の半割ケース部１５ａには、切り込み状に設けられたスリット部１８が形成されている。このスリット部１８には、後述するように、刺餌用釣針に接続されるハリスが挿通されるようになっている（図４参照）。尚、本体ケース１１は、例えば閉状態での直径が３ｃｍ〜１０ｃｍ程度のテニスボールくらいの大きさとなるように形成してもよい。
【００２４】
図１によく示すように、ヒンジ部１２は、一対の半割ケース部（１５ａ、１５ｂ）をそれらの縁部分の所定の箇所で連結している。このように、ヒンジ部１２は、一対の半割ケース部（１５ａ、１５ｂ）を両開きの開状態（図１に示す状態）又は上記閉状態（図２に示す状態）となるように開閉自在に連結している。
【００２５】
また、図１及び図２に示すように、フック部１３は、本体ケース１１における一方の半割ケース部１５ｂから突設するように形成されている。このフック部１３は、本体ケース１１とその一部が連続して一体化された環状に形成されている。そして、後述するように、このフック部１３は、係止用の引っ掛け部分を有する所定の部材である天秤に対して係止可能になっている。
【００２６】
また、図１及び図２に示すように、閉じ手段１４は、一方の半割ケース部１５ｂに設けられる突起部１６と他方の半割ケース部１５ａに設けられて突起部１６に対して係止する係止部１７とを有している。突起部１６は、直径寸法よりも高さ寸法の方が小さい円柱状に形成されて半割ケース部１５ｂの縁近傍部分の所定箇所から突設されている。係止部１７は、半楕円状の外径の略中央に円形孔が設けられた形状に形成されて半割ケース部１５ａの縁近傍部分の所定箇所から突設されている。そして、係止部１７がその円形孔の部分で突起部１６に対してきつく嵌め込むことができるように、係止部１７の円形孔の直径寸法と突起部１６の直径寸法との関係が設定されている。このように、閉じ手段１４は、突起部１６と係止部１７とが係止することで（係止部１７の円形孔が突起部１６にきつく嵌り込むことで）一対の半割ケース部（１５ａ、１５ｂ）を図２に示す閉状態に保持することができるようになっている。
【００２７】
また、上述した本体ケース１１、ヒンジ部１２、フック部１３、及び閉じ手段１４は、水溶性材料（例えば、ゼラチンやでんぷん等を成分としたもの）で一体に形成されている。この一体形成された本体ケース１１及びヒンジ部１２は、形状が対応した所定の分離可能な型にゼラチン等の水溶性材料を溶解状態で流し込んで成形して固形化させること等によって形成してもよい。例えば、ゼラチン基材の魚釣用具１を作製する場合は、ゼラチンに水を加え、温めて溶かし、必要に応じて砂糖、グリセリン、アラビアゴム、寒天及びレーヨン等のうちの１種以上を加えてゼリー状とし、温かい状態を維持したまま所定の型を用いて成形してもよい。また、医薬品等を充填するゼラチン製の硬カプセルが公知であるが、これらと同様の材料を用いて成形してもよい。また、カゴ釣りに魚釣用具１が用いられる際に本体ケース１１が釣り人の所望の釣りポイントに届くまでの時間を想定して溶解目標時間を設定し、本体ケース１１が水中で溶解するのに要する時間がその溶解目標時間となるように、水溶性材料の材料種類や本体ケース１１の厚み寸法を適宜設定することができる。例えば、海中に投入されてから（水中に没してから）１分前後くらいで溶解するように設定されることが望ましい。
【００２８】
尚、図１及び図２に示すように、本体ケース１１は、閉状態でフック部１３が配置される位置であるフック位置２０を含むフック側部分２２の厚さが、閉状態でフック位置２０と対向する反対側の位置である反フック位置２１を含む反フック側部分２３の厚さよりも厚くなるように形成されている。より詳細には、図１において仮想線として示す点線Ｐよりも図中矢印Ａで示す側（フック位置２０の側）の部分であるフック側部分２２の厚さが厚く、点線Ｐよりも図中矢印Ｂで示す側（反フック位置２１の側）の部分である反フック側部分２３の厚さが薄くなるように形成されている。即ち、点線Ｐ近傍を境界として厚さが変化するように形成されている。これにより、フック側部分２２の方が、反フック側部分２３よりも水中で溶解し難いことになる。尚、図１では、本体ケース１１の高さ方向（図１の紙面上下方向）において、フック側部分２２の高さが全体高さの３分の１程度で、反フック側部分２２の高さが全体高さの３分の２程度の場合を例示しているが、厚さが変化する位置については、フック部１３やヒンジ部１２の位置などを考慮して適宜設定することができる。
【００２９】
次に、本実施形態に係る魚釣用具１の使用方法について説明する。図３及び図４は、魚釣用具１をカゴ釣りにおける撒き餌カゴとして用いる場合を説明する図である。図３に示すように、Ｌ字状に形成された天秤１０１には、オモリ１０２が取り付けられるとともに撒き餌カゴを引っ掛けるための引っ掛け部分であるフック１０３が設けられている。そして、天秤１０１の一端側の端部１０１ａには図示していないが釣り糸が取り付けられ、天秤１０１の他端側の端部１０１ｂには先端に刺餌用釣針１０５が取り付けられたハリス１０４が取り付けられる。刺餌用釣針１０５には餌（図示せず）が取り付けられる。この天秤１０１に対して撒き餌カゴとして魚釣用具１が取り付けられる。
【００３０】
まず、図３に示すように、オキアミ等からなる撒き餌１００を準備し、両開きの開状態の魚釣用具１の内部に撒き餌１００を図中矢印（Ａ）で示すように配置する。魚釣用具１内に撒き餌１００を収納する際には、刺餌用釣針１０５に餌を取り付けた（餌が刺された）餌針も魚釣用具１の内部に撒き餌１００とともに配置する。尚、この刺餌用釣針１０５に接続されたハリス１０４はスリット部１８を挿通させて魚釣用具１の外部へと引き出しておく（図４参照）。そして、図３に示すように、撒き餌１００及び餌針を内部に配置した状態で魚釣用具１を図中矢印（Ｂ）で示す方向に閉じ合わせる。このとき、突起部１６に対して係止部１７を嵌め合わせて係止させることで、本体ケース１１を閉じ合わされた閉状態に保持する。
【００３１】
魚釣用具１を撒き餌１００及び餌針を収納して閉状態とすると、図３にて矢印（Ｃ）で示すように、天秤１０１のフック１０３に対して、魚釣用具１のフック部１３を係止させる（引っ掛ける）。これにより、図４に示すように、撒き餌１００とハリス１０４の先端に取り付けられた餌針とを収納した魚釣用具１が、釣り糸（道糸）１０６が端部１０１ａに取り付けられた天秤１０１に対して取り付けられた状態となる。この状態で、魚釣用具１が水中へと投入され、カゴ釣りが行われることになる。水中へと投入された魚釣用具１は、釣り人が所望する釣りポイントに到達するが、それまでは本体ケース１１が溶解してしまわないため、撒き餌１００は小孔１９から水中へと溶出するのみとなる。そして、本体ケース１１は所望の溶解時間で溶解するようにその厚み等が調整されているため、釣りポイントに到達して間もなく溶解し、撒き餌１００を釣りポイントにて開放することになる。また、溶解開始後、魚釣用具１は、本体ケース１１、ヒンジ部１２、フック部１３、閉じ手段１４の全てが溶解し、水中には、放出された撒き餌１００及び餌針のみが浮遊する状態となり、魚の警戒心を刺激することなく、釣りポイントにて撒き餌１００で寄せ集められた魚を餌針で釣ることができる。
【００３２】
以上説明したように、本実施形態の魚釣用具１によると、両開きの開状態の本体ケース１１に餌（撒き餌１００及び刺餌）を挿入した後に一対の半割ケース部（１５ａ、１５ｂ）を閉じて閉状態とすることで、本体ケース１１内に餌を収納して水中においてもその餌を保護することができる。そして、本体ケース１１が水溶性材料で形成されているため、所定の時間を経過すると本体ケース１１が水中にて溶解し、本体ケース１１内の餌が開放されることになる。また、魚釣用具１は、一対の半割ケース部（１５ａ、１５ｂ）をヒンジ部１２で連結するという簡易な機構で構成することができる。さらに、本体ケース１１は水中に溶出してしまうため、釣りポイントにおいて、魚の警戒心を刺激してしまうことも防止できる。従って、魚釣用具１によると、所望の釣りポイントでケース内に収容した餌を開放可能であるとともに、簡易な機構で、且つ、魚の警戒心を刺激することを防止することができる魚釣用具を提供することができる。
【００３３】
また、魚釣用具１によると、天秤１０１に対して、本体ケース１１から突設されるフック部１３で係止させることで、魚釣用具１を取り付けることができる。そして、ヒンジ部１２及びフック部１３も本体ケース１１と同様に水溶性材料で形成されているため、釣りポイントにおいて、本体ケース１１とともにヒンジ部１２及びフック部１３も溶解させることができる。
【００３４】
また、魚釣用具１によると、フック側部分２２の厚さが反フック側部分２３の厚さよりも厚くなるように本体ケース１１が形成されているため、天秤１０１に対して水中で魚釣用具１が取り付けられた状態では、フック側部分２２の方が溶解に時間を要することになる。従って、反フック側部分２３が溶解して撒き餌１００が放出される前にフック側部分２２が溶解して天秤１０１から魚釣用具１が脱落してしまうことを、フック側部分２２における本体ケース１１の厚さを厚くするという簡易な構成で容易に防止できる。
【００３５】
また、魚釣用具１によると、一対の半割ケース部（１５ａ、１５ｂ）の一方の突起部１６と他方の係止部１７という簡易な構成からなる閉じ手段１４によって一対の半割ケース部（１５ａ、１５ｂ）を容易に閉状態に保持することができる。そして、閉じ手段１４も本体ケース１１と同様に水溶性材料で形成されているため、釣りポイントにおいて、本体ケース１１とともに閉じ手段１４も溶解させることができる。
【００３６】
また、魚釣用具１によると、貫通形成された複数の小孔１９を介して本体ケース１１内に水が誘導されるため、本体ケース１１が内側からも水に溶出することになる。このため、溶解させ易い本体ケース１１を形成したい場合に有効となる。また、釣りポイントにおいて本体ケース１１が溶解する前に小孔１９から撒き餌１００が水中に拡散するため、釣りポイントに魚を速やかに寄せ集めることができる。
【００３７】
また、魚釣用具１によると、刺餌用釣針１０５に接続されるハリス１０４をこのスリット部１８に挿通させて本体ケース１１内に刺餌用釣針１０５を配置することができる。従って、本体ケース１１にスリット部１８を設けるという簡易な構成により、本体ケース１１との干渉を抑制しつつ刺餌用釣針１０５を本体ケース１１内に容易に配置することができる。
【００３８】
（第２実施形態）
次に、第２実施形態に係る魚釣用具について説明する。図５及び図６は、第２実施形態に係る魚釣用具２を示す斜視図である。この魚釣用具２は、フカセ釣りにおいて用いられる。図５及び図６に示すように、魚釣用具２は、本体ケース２４、ヒンジ部２５、閉じ手段２６を備えて構成されている。
【００３９】
本体ケース２４は、一対の半割ケース部（２７ａ、２７ｂ）を有して構成されている。これらの半割ケース部２７ａ及び半割ケース部２７ｂは、いずれも中空の半楕円球状に形成されており、各半楕円球における開口した楕円部分の外径寸法がほぼ同一となるように形成されている。即ち、半割ケース部２７ａと半割ケース部２７ｂとをその開口している側が対向した状態で合わせると、１つの半楕円球状体を構成するようになっている。尚、図５は一対の半割ケース部（２７ａ、２７ｂ）が両開きに開いた開状態であり、図６は一対の半割ケース部（２７ａ、２７ｂ）が閉じ合わされた閉状態を示している。この本体ケース２４は、釣針に取り付けられた状態の刺餌（餌）が上記閉状態で内部に収納されるようになっている。また、本体ケース２４には、各半割ケース部（２７ａ、２７ｂ）の厚さ方向に貫通形成された小孔３１が複数設けられている。また、一方の半割ケース部２７ａには、切り込み状に設けられたスリット部３０が形成されている。このスリット部３０には、図６に示すように、刺餌用釣針に接続されるハリス１０４が挿通されるようになっている。尚、本体ケース２４は、例えば閉状態での最大径寸法（楕円球状体における長半径方向の直径寸法）が０．５ｃｍ〜３ｃｍ程度くらいの大きさとなるように形成してもよい。
【００４０】
図５によく示すように、ヒンジ部２５は、一対の半割ケース部（２７ａ、２７ｂ）をそれらの縁部分の所定の箇所で連結している。このように、ヒンジ部２５は、一対の半割ケース部（２７ａ、２７ｂ）を両開きの開状態（図５に示す状態）又は閉状態（図６に示す状態）となるように開閉自在に連結している。
【００４１】
また、図５及び図６に示すように、閉じ手段２６は、一方の半割ケース部２７ｂに設けられる突起部２８と他方の半割ケース部２７ａに設けられて突起部２８に対して係止する係止部２９とを有している。突起部２８及び係止部２９は、第１実施形態の突起部１６及び係止部１７と同様に形成されている。即ち、突起部２８は、直径寸法よりも高さ寸法の方が小さい円柱状に形成されて半割ケース部２７ｂの縁近傍部分の所定箇所から突設されている。係止部２９は、半楕円状の外径の略中央に円形孔が設けられた形状に形成されて半割ケース部２７ａの縁近傍部分の所定箇所から突設されている。そして、係止部２９がその円形孔の部分で突起部２８に対してきつく嵌め込むことができるように、係止部２９の円形孔の直径寸法と突起部２８の直径寸法との関係が設定されている。このように、閉じ手段２６は、突起部２８と係止部２９とが係止することで一対の半割ケース部（２７ａ、２７ｂ）を図６に示す閉状態に保持することができるようになっている。
【００４２】
また、上述した本体ケース２４、ヒンジ部２５、及び閉じ手段２６は、第１実施形態の魚釣用具１と同様の水溶性材料で一体に形成されている。この一体形成された魚釣用具２は、第１実施形態と同様の方法で形成される。そして、フカセ釣りに魚釣用具２が用いられる際に本体ケース２４が釣り人の所望の釣りポイントに届くまでの時間を想定して溶解目標時間を設定し、本体ケース２４が水中で溶解するのに要する時間がその溶解目標時間となるように、水溶性材料の材料種類や本体ケース２４の厚み寸法を適宜設定することができる。例えば、海中に投入されてから（水中に没してから）３０秒から６０秒くらいで溶解するように設定されることが望ましい。
【００４３】
上述した本実施形態に係る魚釣用具２は、フカセ釣りにおいて釣り人の所望の釣りポイントに餌針が到達するまでの間に刺餌用釣針に取り付けられた刺餌が雑魚類に食われてしまうことを防止するために用いられる。即ち、図５に示すように両開きの開状態で釣針に餌が刺された状態の餌針を本体ケース２４内に配置し、図６に示すようにこの本体ケース２４を閉じ合わせて閉状態とする。このとき、釣針に接続されたハリス１０４はスリット部３０を挿通させて魚釣用具２の外部へと引き出しておく。そして、閉状態で突起部２８と係止部２９とを係止させて魚釣用具２を閉状態に保持する。
【００４４】
上述のように、魚釣用具２に餌針を収納させて閉状態とした状態で、魚釣用具２が水中へと投入されてフカセ釣りが行われることになる。水中へと投入された魚釣用具２は、釣り人が所望する釣りポイントに到達するが、それまでは本体ケース２４が溶解してしまわないため、本体ケース２４内の刺餌が雑魚類に食われてしまうことが防止される。そして、本体ケース２４は所望の溶解時間で溶解するようにその厚み等が調整されているため、釣りポイントに到達して間もなく溶解し、餌針を釣りポイントにて開放することになる。このように、魚釣用具２によると、餌針の大きさを考慮した適当な大きさの本体ケース２４内に餌針を収納し、所望の釣りポイントにて本体ケース２４が溶解することで餌針が釣りポイントにて開放されることになる。また、溶解開始後、魚釣用具２は、本体ケース２４、ヒンジ部２５、及び閉じ手段２６の全てが溶解し、水中には、放出された餌針のみが浮遊する状態となり、魚の警戒心を刺激することなく、釣りポイントにて魚を釣りことができる。
【００４５】
以上説明した魚釣用具２によると、フカセ釣りにおいて用いられて餌を収納するケースを有する魚釣用具に関し、所望の釣りポイントでケース内に収容した餌を開放可能であるとともに、簡易な機構で、且つ、魚の警戒心を刺激することを防止することができる魚釣用具を提供することができる。
【００４６】
（第３実施形態）
次に、第３実施形態に係る魚釣用具について説明する。図７は、第３実施形態に係る魚釣用具３を示す斜視図である。この魚釣用具３は、本体ケース３２、図示しないヒンジ部、閉じ手段３３を備えて構成されており、紀州釣りにおいて用いられる。この魚釣用具３は、第１実施形態に係る魚釣用具１と同様に構成されており、第１実施形態のようなフック部が設けられていない点、本体ケース３２全体がほぼ均一な厚みで形成されている点（厚さの異なるフック側部分及び反フック側部分のような構成は設けられていない点）が、第１実施形態とは異なっている。尚、以下の説明では、第１実施形態と重複する箇所については適宜割愛して説明する。
【００４７】
図７に示すように、本体ケース３２は、一対の半割ケース部（３４ａ、３４ｂ）を有して構成されている。これらの半割ケース部３４ａ及び半割ケース部３４ｂは、第１実施形態と同様に、いずれも中空の半球状に形成されており、各半球の直径寸法がほぼ同一となるように形成されており、閉状態では１つの球状態を構成するようになっている。そして、本体ケース３２には、厚さ方向に貫通形成された小孔３８が複数設けられている。また、一方の半割ケース３４ａには、刺餌用釣針に接続されるハリス１０４が挿通される切り込み状に設けられたスリット部３７が形成されている。尚、本体ケース３２は、第１実施形態と同様に、例えば閉状態での直径が３ｃｍ〜１０ｃｍ程度のテニスボールくらいの大きさとなるように形成してもよい。
【００４８】
図示しないヒンジ部は、第１実施形態と同様に、一対の半割ケース部（３４ａ、３４ｂ）をそれらの縁部分の所定の箇所で連結し、両開きの開状態又は閉状態（図７に示す状態）となるように開閉自在に連結している。また、閉じ手段３３は、一方の半割ケース部３４ｂに設けられる突起部３５と他方の半割ケース部３４ａに設けられて突起部３５に対して係止する係止部３６とを有している。突起部３５及び係止部３６は、第１実施形態の突起部１６及び係止部１７と同様に構成されている。
【００４９】
また、上述した本体ケース３２、ヒンジ部、及び閉じ手段３３は、第１実施形態の魚釣用具１と同様の水溶性材料で一体に形成されている。この一体形成された魚釣用具３は、第１実施形態と同様の方法で形成される。そして、紀州釣りに魚釣用具３が用いられる際に本体ケース３２が釣り人の所望の釣りポイントである海底に届くまでの時間を想定して溶解目標時間を設定し、本体ケース３２が水中で溶解するのに要する時間がその溶解目標時間となるように、水溶性材料の材料種類や本体ケース３２の厚み寸法を適宜設定することができる。
【００５０】
上述した本実施形態に係る魚釣用具３は、紀州釣りにおいて用いられる。まず、釣針に餌を刺した餌針と団子を作成するための集魚材とを準備し、両開きの開状態の魚釣用具３の内部に餌針を配置するとともにその餌針の周りに集魚材を適当に軟らかく丸めて配置して団子を本体ケース３２内に形成する（餌針及び団子を本体ケース３２内に収納する）。そして、図７に示すように、餌針に接続されたハリス１０４をスリット部３７に挿通させて魚釣用具３の外部へと引き出し、餌針及び団子を内部に配置した状態で魚釣用具３を閉じ合わせる。このとき、突起部３５に対して係止部３６を嵌め合わせて係止させることで、本体ケース３２を閉じ合わされた閉状態に保持する。
【００５１】
魚釣用具３を餌針及び団子を収納して閉状態に保持した状態で、この魚釣用具３を水中へと投入して、紀州釣りが行われることになる。水中へと投入された魚釣用具３は、釣り人が所望する釣りポイントである海底に到達するが、それまでは本体ケース３２が溶解してしまわないため、団子を形成する集魚材は小孔３８から水中へと拡散するのみとなる。そして、本体ケース３２は所望の溶解時間で溶解するようにその厚み等が調整されているため、海底に到達して間もなく本体ケース３２が溶解し、団子が崩壊した状態の集魚材とともに餌針が海底にて開放されることになる。また、溶解開始後、魚釣用具３は、本体ケース３２、ヒンジ部、閉じ手段３３の全てが溶解し、水中には、放出された集魚材及び餌針のみが浮遊する状態となり、魚の警戒心を刺激することなく、海底にて集魚材で寄せ集められた魚を餌針で釣ることができる。
【００５２】
以上説明した魚釣用具３によると、紀州釣りにおいて、海底（釣りポイント）にて本体ケース３２内に収納した集魚材及び餌針を開放可能であるとともに、簡易な機構で、且つ、魚の警戒心を刺激することを防止することができる魚釣用具を提供することができる。また、このように、魚釣用具３を紀州釣りに用いる場合、本体ケース３２内に集魚材を餌針とともに収納するだけでよく、従来のように海底で適切に溶解させるための団子の固さ調整といった熟練作業を要することがなく、さらに、手を汚さず且つ短時間で作業を完了することができる。
【００５３】
以上、本考案の第１乃至第３実施形態について説明したが、本考案は上述の第１乃至第３実施形態に限られるものではなく、実用新案登録請求の範囲に記載した限りにおいて様々な変更が可能なものである。例えば、次のように変更して実施してもよい。
【００５４】
（１）上述した実施形態においては、本体ケースが球状体や楕円球状体であるものを例にとって説明したが、必ずしもこの通りでなくてもよく、適宜形状を変更してもよい。また、本体ケースは小孔を設けていないものであってもよい。
【００５５】
（２）閉じ手段やフック部の形態については、適宜変更して実施してもよい。例えば、閉じ手段については、円形孔が設けられておらず凹み部分が形成されたキャップ状の係止部を、円柱状に突設された突起部に対して被せるようにしてきつく嵌め合わせるものであってもよい。
【産業上の利用可能性】
【００５６】
本考案は、フカセ釣り又はカゴ釣り或いは紀州釣り等において用いられ、餌を収納するケースを有する魚釣用具として広く適用することができるものである。
【図面の簡単な説明】
【００５７】
【図１】本考案の第１実施形態に係る魚釣用具を示す斜視図であり、開状態を示したものである。
【図２】図１に示す魚釣用具の閉状態を示す斜視図である。
【図３】図１に示す魚釣用具をカゴ釣りおける撒き餌カゴとして用いる場合を説明する図である。
【図４】図１に示す魚釣用具をカゴ釣りおける撒き餌カゴとして用いる場合を説明する図である。
【図５】本考案の第２実施形態に係る魚釣用具を示す斜視図であり、開状態を示したものである。
【図６】図５に示す魚釣用具の閉状態を示す斜視図である。
【図７】本考案の第３実施形態に係る魚釣用具を示す斜視図である。
【符号の説明】
【００５８】
１                魚釣用具
１１              本体ケース
１２              ヒンジ部
１４              閉じ手段
１５ａ、１５ｂ    半割ケース部
【図１】
0003137641.tif 000003
【図２】
0003137641.tif 000004
【図３】
0003137641.tif 000005
【図４】
0003137641.tif 000006
【図５】
0003137641.tif 000007
【図６】
0003137641.tif 000008
【図７】
0003137641.tif 000009